(57)【要約】【課題】各種のロック部材を簡単に装着して、弁駆動操作機構のロック状態を確実に保持して誤操作やいたずら等による操作を防ぎ、しかも、簡単な構造によって確実にロックすることが可能なロック機構を有する弁駆動用手動操作装置を提供する。【解決手段】弁駆動用手動操作装置は、回転弁２１に設けた手動操作用ハンドル２４をステム２３を介して回動操作し、ハンドル２４に、先端に開度固定用の係止部２９と後端に把持部３２を有するレバー２５を軸着部２８を介して回動可能に設けている。弁駆動用手動操作装置において、軸着部２８とハンドル２４とレバー２５の後端側の開放領域３９で、かつ、軸装部２８から所定の距離を離した後端側に突設部３５を設けて、軸着部２８とハンドル２４とレバー２５と突設部３５より区画形成される空間領域３７にロック部材４０の結束環体４１を挿通させてレバー２５の開度固定用の係止部２９をロック状態に保持させている。【選択図】図１
2011021641.tif 000002
【特許請求の範囲】
【請求項１】
回転弁に設けた手動操作用ハンドルをステムを介して回動操作し、前記ハンドルには、先端に開度固定用の係止部と後端に把持部を有するレバーを軸着部を介して回動可能に設けた弁駆動用手動操作装置において、前記軸着部と前記ハンドルと前記レバーの後端側の開放領域で、かつ、前記軸着部から所定の距離を離した後端側に突設部を設けて、前記軸着部と前記ハンドルと前記レバーと前記突設部より区画形成される空間領域にロック部材の結束環体を挿通させて前記レバーの開度固定用の係止部をロック状態に保持させたことを特徴とする弁駆動用手動操作装置。
【請求項２】
前記突設部をレバー側に一体に突設形成し、この突設部は、軸着部から後端側に所定の距離を離して位置させた請求項１に記載の弁駆動用手動操作装置。
【請求項３】
前記突設部の空間領域側に近接した前記レバーの上面位置にロック部材の結束環体を安定的に挿通させてロック状態を保持するための座部を設けた請求項１又は２に記載の弁駆動用手動操作装置。
【請求項４】
前記レバーを軸着部を介して回動操作する際に、前記レバー側に設けた突設部を手動操作用ハンドルの下向き断面コ字形状の収容部に収容可能に設けた請求項１乃至３の何れか１項に記載の弁駆動用手動操作装置。
【請求項５】
前記突設部を手動操作用ハンドル側に一体に突設形成し、この突設部は、前記軸着部から後端側に所定の距離を離して位置させた請求項１に記載の弁駆動用手動操作装置。
【発明の詳細な説明】
【技術分野】
【０００１】
本発明は、バタフライバルブ等の回転弁を手動操作する操作機構をロックするためのロック機構を有する弁駆動用手動操作装置に関する。
【背景技術】
【０００２】
従来より、バタフライバルブ等の回転弁を回動操作する場合に、ハンドルを有する駆動操作機構により手動操作する場合がある。この種の回転弁には、例えば、図１１に示すように、回転弁１の駆動操作機構２が、図示しない弁棒に連結された固定側ハンドル４と、この固定側ハンドル４に、軸部５により回転自在に支持され、且つ、回転弁１の軸装部１４に設けられた係止溝を有する係合板６に可動側レバー８の先端側に設けた突部７を係止させて開閉状態を位置決めしている。また、可動側レバー８を、固定側ハンドル４との間に生じている図示しないスプリングの弾発力に抗して可動操作したときには、係合板６から先端突部７の係合が解除されて固定側ハンドル４の操作による弁棒の回転が可能になり、これにより、ジスク１０の開閉制御が可能になっている。
【０００３】
通常この駆動操作機構は、誤操作やいたずら等による意図しない操作を防ぐために、固定側ハンドル４をジスク１０の開閉状態、又は中間開度に位置を固定した状態でロックするロック機構が設けられており、図１１において、このロック機構として可動側レバー８に楕円の貫通孔１１が設けられている。駆動操作機構２をロックする際には、係合板６の係止溝部９に先端突部７をかみ合わせた状態で、楕円の貫通孔１１に南京錠等の鍵１２のつる１３を挿入して施錠してロックするようになっている。この駆動操作機構２では、貫通孔１１が軸部５に近接した位置に設けられ、この貫通孔１１への鍵１２の施錠後に可動側レバー８を握り込もうとしたときに、つる１３を固定側ハンドル４に当接させ、この当接により可動側レバー８の回転動作を規制する。これにより、先端突部７が係合板６から外れることを防いで、ロック状態を維持しようとしている。また、貫通孔１１が楕円になっていることで、つる１３の曲率やシャンク径が異なる場合にも対応させようとしている。
【０００４】
その他の弁駆動装置のロック機構を具体的に示すと、例えば、特許文献１の弁駆動用手動レバーのロック装置がある。このロック装置は、手動用ロックレバーに穴をあけ、これにＬ形状の孔をあけた円板状のアタッチメントをボルト、ナットで可動できるように固定した構造になっている。このロック装置では、アタッチメントのＬ形状の孔位置を移動することにより、手動レバーをロック状態、又は、ロック解除状態にするようになっている。
また、同文献１において、その従来技術としてロックレバーと手動レバーとの間に南京錠の本体部分を介入させた状態でロックしようとするロック機構が開示されている。
【先行技術文献】
【特許文献】
【０００５】
【特許文献１】実公平３−３１９００号公報
【発明の概要】
【発明が解決しようとする課題】
【０００６】
しかしながら、図１１に示したロック機構は、貫通孔１１が軸部５に近接した位置に設けられた構造となっているため、支点である軸部５から貫通孔１１までの距離Ｄ１が、軸部５から先端突部７の距離Ｄ２よりも短くなり、支点５を中心に可動側レバー８を握る場合、支点５から貫通孔１１までの距離Ｄ１が、支点５から先端突部７までの距離Ｄ２よりも短くなっている。そのため、貫通孔１１に挿入した鍵１２のつる１３と固定側ハンドル４との間の隙間が大きい状態で可動側レバー８を握ると、距離Ｄ１に比較して距離Ｄ２が増大し、その結果、係止溝部９から先端突部７の係止が外れてロック状態を維持できなくなる場合があった。
更に、貫通孔１１を楕円に設けて各種の鍵１２に対応できるようにしているため、施錠する鍵１２によって隙間がより大きくなるため、例えば、貫通孔１１に対して小径のつる１３を挿入したときには、このつる１３と固定側ハンドル４との隙間が拡大して握り込み時に先端突部７の係止が外れやすくなっていた。
【０００７】
一方、特許文献１におけるロック装置は、アタッチメントと、ボルト・ナットとを用い、これらをロックレバーに固定して取付ける構造であるから、アタッチメント、ボルト・ナットを第三者がスパナ等を用いて意図的に取外すことができるため、誤動作やいたずら等を防ぐことができないおそれがある。
また、取付け時には、取付け姿勢などによってＬ形状の孔がずれた状態でアタッチメントが固定される可能性があり、この場合、取付け後に手動レバーのロック又はロック解除状態が外れるおそれもある。
また、同文献１の従来技術においては、南京錠の形状が異なったときにロックレバーと手動レバーとの隙間が大きくなることがあり、この場合も、ロック状態を維持することができない。
【０００８】
本発明は、上記の課題点を解決するために開発したものであり、その目的とするところは、各種のロック部材を簡単に装着して、弁駆動用手動操作装置のロック状態を確実に保持して誤操作やいたずら等による操作を防ぎ、しかも、簡単な構造によって確実にロックすることが可能なロック機構を有する弁駆動用手動操作装置を提供することにある。
【課題を解決するための手段】
【０００９】
上記目的を達成するため、請求項１に係る発明は、回転弁に設けた手動操作用ハンドルをステムを介して回動操作し、ハンドルには、先端に開度固定用の係止部と後端に把持部を有するレバーを軸着部を介して回動可能に設けた弁駆動用手動操作装置において、軸着部とハンドルとレバーの後端側の開放領域で、かつ、軸着部から所定の距離を離した後端側に突設部を設けて、軸着部とハンドルとレバーと突設部より区画形成される空間領域にロック部材の結束環体を挿通させてレバーの開度固定用の係止部をロック状態に保持させた弁駆動用手動操作装置である。
【００１０】
請求項２に係る発明は、突設部をレバー側に一体に突設形成し、この突設部は、軸着部から後端側に所定の距離を離して位置させた弁駆動用手動操作装置である。
【００１１】
請求項３に係る発明は、突設部の空間領域側に近接したレバーの上面位置にロック部材の結束環体を安定的に挿通させてロック状態を保持するための座部を設けた弁駆動用手動操作装置である。
【００１２】
請求項４に係る発明は、レバーを軸着部を介して回動操作する際に、レバー側に設けた突設部を手動操作用ハンドルの下向き断面コ字形状の収容部に収容可能に設けた弁駆動用手動操作装置である。
【００１３】
請求項５に係る発明は、突設部を手動操作用ハンドル側に一体に突設形成し、この突設部は、軸着部から後端側に所定の距離を離して位置させた弁駆動用手動操作装置である。
【発明の効果】
【００１４】
請求項１に係る発明によると、軸着部とハンドルとレバーと突設部より区画形成される空間領域にロック部材の結束環体を挿通させてレバーの係止部をロック状態に保持しているので、各種のロック部材を空間領域に簡単に装着し、空間領域が軸着部から所定の距離を離して位置させているので、長いモーメントアームを確保することができるため、ロック状態を確実に保持して誤操作やいたずら等による操作を防ぐことができる。しかも、特別な部品や装置等を用いることなく、簡単な構造によって確実にロックすることが可能になっている。
【００１５】
請求項２に係る発明によると、レバー側に設けた突設部にロック部材の結束環体を載置させた状態でこの結束環体をハンドルとレバーとの間に挟み込むことができ、この突設部を軸着部から所定距離をもって離れて位置させているので、確実に係止部をロック状態に保持することができる。しかも、突設部をレバーに一体成形することにより、複雑な加工を要することなく形成でき、この場合、突設部が強固に形成されロック部材を確実に位置保持できると共に、安価に堅固なレバーを量産可能となる。
【００１６】
請求項３に係る発明によると、突設部の空間領域側に近接した位置に座部を設けることにより、ロック部材の結束環体を挿通するときの空間領域における座部とハンドルとの間隔を適切設定にでき、レバーを操作したときに係止部のロック状態を確実に保持できる。さらには、ロック部材の結束環体を安定した状態で載置できると共に、ロック部材を所定の向きに維持できるため、ロック部材の開錠や施錠が容易となる。
【００１７】
請求項４に係る発明によると、レバーの回動操作時に、このレバーの突設部をハンドルの断面コ字形状の収容部に収容できるため、この突設部が操作の支障となることがなく、レバーの手動操作時には係止部の脱着を確実かつスムーズに行なうことができる。
【００１８】
請求項５に係る発明によると、レバーに突設部を設けた場合と同様に各種のロック部材を空間領域に簡単に装着でき、このロック部材によるロック状態を確実に保持して誤操作やいたずら等による操作を防ぐことができる。
【図面の簡単な説明】
【００１９】
【図１】本発明におけるロック機構付きの弁駆動用手動操作装置の実施形態を示した側面図である。
【図２】図１の平面図である。
【図３】図１のＡ−Ａ線拡大断面図である。
【図４】図３のレバーを操作した状態を示す断面図である。
【図５】レバーの動作状態を示した作用説明図である。
【図６】レバーのロック解除状態を示す側面図である。
【図７】図６のＢ−Ｂ線拡大断面図である。
【図８】固定具の取付け状態を示した断面図である。
【図９】本発明におけるロック機構付きの弁駆動用手動操作装置の他の実施形態を示した側面図である。
【図１０】図９のＣ−Ｃ線拡大断面図である。
【図１１】従来のロック機構を示した側面図である。
【発明を実施するための形態】
【００２０】
以下に、本発明におけるロック機構を有する弁駆動用手動操作装置の実施形態を図面に基づいて説明する。図１においては、本発明の弁駆動用手動操作装置の実施形態を示した側面図であり、また、図２においては、図１の平面図を示している。図において、弁駆動用手動操作装置本体（以下、装置本体という）２０は、バタフライバルブである回転弁２１の軸装部に装着可能に設けられている。この回転弁２１は、図示しない弁体に接続されたステム２３を有し、このステム２３を装置本体２０により手動操作により回動させることで、弁体を開又は閉状態、或は、中間開度の状態に開閉制御することが可能な構造になっている。なお、ボールバルブの回転弁にも適用可能である。
【００２１】
装置本体２０は、回転操作用ハンドル２４と、レバー２５とを有し、このうち、ハンドル２４は、図３に示すように、下向き断面略コ字形状の収容部３８を有しており、この収容部３８にはレバー２５を収容可能になっている。更に、このハンドル２４の回転弁２１への取付け側には嵌合凹部２６が形成されている。嵌合凹部２６は、回転弁２１のステム２３の端部側に形成された嵌合凸部２７に非回転状態に嵌合固着されてハンドル２４がステム２３に連結されている。
【００２２】
一方、レバー２５は、ハンドル２４に収容可能な形状に形成され、スプリングピンからなる軸着部２８によりハンドル２４に軸着されてハンドル２４に手動回動可能に取付けられている。また、レバー２５の先端側には開度固定用の係止部２９が設けられ、この係止部２９は、図２に示すように、回転弁２１の上端側に取付けられたプレート３０の溝部３１に係止されて位置決めされている。この溝部３１は、所定間隔に複数形成され、この任意の溝部３１に対して係止部２９を係止させることでレバー２５の角度が固定され、これにより、ハンドル２４を介してステム２３の位置がプレート３０に固定される。レバー２５の後端側には把持部３２が形成され、この把持部３２を把持することでハンドル２４に対するレバー２５の回転操作が可能になっている。
【００２３】
また、このレバー２５とハンドル２４における軸着部２８から後端側の開放領域には、突状の取付部３４、３３が形成され、この取付部３４、３３は、後述する突設部３５から軸着部２８側に配設されている。取付部３３、３４には、コイル状のスプリング３６の両端部が弾発状態で装着され、このスプリング３６により、ハンドル２４とレバー２５とが弾発状態になり、通常時においては、レバー２５の係止部２９が、軸着部２８を支点にしてプレート３０の溝部３１に係止する方向に付勢されている。なお、弾発部材は、本例のコイル状のスプリング以外に、板ばねであってもよい。
【００２４】
上記の装置本体２０は、把持部３２をスプリング３７の弾発力に抗して手動操作したとき、係止部２９の溝部３１への係止が解除され、この解除状態を維持しながらハンドル２４を操作し、ステム２３を介して回転弁２１が可動するように設け、これにより、回転弁２１を開閉制御できる。更に、再度、係止部２９を溝部３１に係止させることで、回転弁２１を所定の回転状態に固定できる。このとき、レバー２５を、軸着部２８を介して回動操作する際に、突設部３５がハンドル２４の収容部に収容可能になっている。
【００２５】
図１において、レバー２５に設けた突設部３５について具体的に説明する。突設部３５は、軸着部２８とハンドル２４とレバー２５の後端側の開放領域で、かつ、軸着部２８から所定の距離を離して後端側のレバー２５側に一体に突設形成されている。軸着部２８と突設部３５とハンドル２４とレバー２５との間には、略三角形を呈する空間領域３７が形成されている。突設部３５は、ハンドル２４に収容可能な形状に形成され、ハンドル２４の操作時には、突設部３５がレバー２５とともにハンドル２４に収容され、かつ、係止部２９が溝部３１から外れることでこの係止部２９によるハンドル２４のロック状態が解除される。この場合、空間領域３７は、完全に閉じた空間である必要はなく、後述するロック部材４０の結束環体４１の抜けを防いでロック部材４０によるロック状態を保持できれば、突設部３５の適宜の長さを有して突設部３５とハンドル２４との間に隙間αを設けるようにしてもよい。この隙間αを許容することにより、突設部３５の高さを、ロック部材４０の結束環体４１の抜けを防ぎつつ低くすることができ、ハンドル２４の回転操作の際に突設部３５がハンドル２４に干渉する不具合を回避することが更に容易となる。
【００２６】
より好ましい突設部３５の配置として、軸着部２８から離しつつ、レバー２５の把持部３２の端部からの距離Ｈ１がロック部材４０の結束環体４１の長さＨ２よりも長い、長さＨ１＞長さＨ２の関係を呈するように配置するのがよい。
例えば、後述する図８のような断面略矩形状のロック部材５０を用いる場合に、長さＨ１≦長さＨ２の関係を有する構造では、ロック部材５０が図１点線矢印のように回転すると、レバー２５の把持部３２を超えて水平状態に至り、結束環体５１の短辺側（図示せず）がハンドル２４に直交することから、結束環体５１とハンドル２４との隙間が大になり、ロック状態を維持できないおそれがある。
これに対し、突設部３５を長さＨ１＞長さＨ２の関係に配置することにより、図８に示すように、結束環体５１の長辺側がハンドル２４に略直交した状態を維持することができ、ロック状態を維持することができる。
【００２７】
突設部は、レバー２５やハンドル２４の鋳造成形時に一体成形するほか、高さの異なる突設部を複数用意しておき、適宜選択の上、レバー２５やハンドル２４に取り外し不能に固定してもよく、また、位置調整後に取り外し不能に固定するものであってもよい。
【００２８】
更に、突設部３５の空間領域３７側に近接したレバー２５の上面位置には、図３において、突設状で上面をフラット形状にした座部４２が形成され、この座部４２により、ロック部材４０の結束環体４１を安定的に挿通させてロックできるようになっている。この座部４２の高さや幅は、ハンドル２４との間隔などの兼ね合いにより実施に応じて任意に設定できる。
【００２９】
前記空間領域３７には、適宜のロック部材４０の結束環体４１が挿通可能に設けられている。ロック部材４０は、例えば、一般的な南京錠や、或は、その他の固定具からなり、錠前式やダイヤル式の適宜のロック手段により結束環体４１を施錠又は開錠できるようになっている。ロック部材４０の結束環体４１は、略環状に形成されて空間領域３７に挿入可能になっている。このとき、結束環体４１は、空間領域３７におけるスプリング３６と突設部３５との間に挿通され、この挿通により、レバー２５の操作を規制して、レバー２５の開度固定用の係止部２９をロック状態に保持させている。
この場合、図３、図４に示すように、ロック部材４０を縦向きの状態に配置してロック状態にする以外にも、平面状であるレバー上面に対して結束環体４１を載置することにより、図示しない横向き等の状態に配置することも可能である。
【００３０】
ロック部材４０によりハンドル２４を施錠する際には、回転弁２１を任意の回転状態に回転した状態で係止部２９を溝部３１に係止させ、この状態でロック部材４０の結束環体４１を空間領域３７に挿通するようにする。このとき、スプリング３６と突設部３５との間に結束環体４１を挿通すると、容易にロック部材４０を取付けできる。また、突設部３５の空間領域３７側に座部４２を形成しているので、この座部４２の上に結束環体４１が載置された状態となり、安定した状態でロック部材４０を施錠される。このことにより、ロック部材４０が施錠後にぐらついたり向きが変わったりすることが防がれている。この座部４２の高さを適宜の高さに設定するようにすれば、実施に応じて各種のロック部材を用いることができる。
【００３１】
ロック部材４０の施錠後には、結束環体４１がハンドル２４とレバー２５との間の空間領域３７に配置されていることで、レバー２５を握り込もうとしたときにロック部材４０がハンドル２４に接触し、これ以上レバー２５を握り込むことができなくなる。このため、係止部２９の溝部３１へのロック状態が維持されてハンドル２４のロック状態が保持されてバルブ操作することができない。このため、誤操作やいたずら等による意図しない操作を防ぐことができる。
【００３２】
このとき、レバー２５は、図５（ａ）の作用説明図の状態に示される。図において、レバー２５は、軸着部である支点２８で軸着され、この支点２８を中心に回動可能になっている。図４の状態において、点Ｐは、レバー２５が支点２８を中心にハンドル２４の方向に回転したときに、結束環体４１がハンドル２４に当接するときの接触点を示している。また、点Ｑは、レバー２５がスプリング３６の弾発力により支点２８を中心に回転したときに、係止部２９が溝部３１に当接するときの接触点を示している。
【００３３】
本発明の弁駆動用手動操作装置は、突設部３５をレバー２５側に一体に突設形成し、この突設部３５は、軸着部２８から後端側に所定の距離を離して位置しているので、図５（ａ）に示すように、軸着部２８から突設部３５までのモーメントアームの長さＬ１を長く確保することができる。この場合、本実施形態では、軸着部２８から点Ｐまでのモーメントアームの長さＬ１が、軸着部２８から点Ｑまでのモーメントアームの長さＬ２よりも十分に長くなっている。
【００３４】
この装置本体２０において、レバー２５を操作すると、モーメントアームの長さＬ１＞モーメントアームの長さＬ２の関係から、点Ｐの回転時の弦の長さＭ１が、点Ｑの回転時の弦の長さＭ２よりも長くなる。このように、点Ｐの弦の長さＭ１に対する点Ｑの弦の長さＭ２の比が抑えられるため、レバー２５の操作時に突設部３５の回転に対する係止部２９の回転が抑えられ、係止部２９による溝部３１への係止が維持されてロック状態が保持される。
【００３５】
一方、図５（ｂ）は、比較例を示した作用説明図である。図においては、図１１の駆動操作機構１における可動側レバー８を示している。図において、可動側レバー８は、軸部５で軸着され、この軸部５を中心に回動可能になっている。点Ｒは、可動側レバー８が軸部５を中心に固定側ハンドル４の方向に回転したときに鍵１２のつる１３が固定側ハンドル４に当接するときの接触点を示している。また、点Ｓは、可動側レバー８が図示しないばねの弾発力により軸部５を中心に回転して可動側レバー８の先端突部７が係止溝部９に係止したときに先端突部７が係止溝部９に当接するときの接触点を示している。
【００３６】
上記の各ロック機構では、ハンドル２４・固定側ハンドル４が、その後端側でレバー２５の把持部３２・可動側レバー８の可動側把持部１５とそれぞれ成す角度βは、例えば、１０〜１５°を想定しており、ハンドル２４・固定側ハンドル４が、その先端側でレバー２５・手動側レバー８とそれぞれ成す角度γは、例えば、２５〜３０°を想定しており、角度γ＞角度βの関係を有している。
【００３７】
駆動操作機構１においては、貫通孔１１が軸部５に近接した位置に設けられているため、軸部５から点Ｓまでのモーメントアームの長さ（距離）Ｄ２が、軸部５から点Ｒまでのモーメントアームの長さ（距離）Ｄ１よりも短くなっている。このため、可動側レバー８を操作すると、点Ｒの回転時の弦の長さＥ１に比較して点Ｓの回転時の弦の長さＥ２が長くなる。これによって、可動側レバー８を操作したときに係止突部７が大きく回転し、その結果、係止突部７が係止溝部から外れるおそれがある。
【００３８】
上記の比較に示したように、本発明の弁駆動用手動操作装置は、軸着部２８とハンドル２４とレバー２５の後端側の開放領域３９で、かつ、軸着部２８から所定の距離を離した後端側に突設部３５を設けて、軸着部２８とハンドル２４とレバー２５と突設部３５より区画形成される空間領域３７にロック部材４０の結束環体４１を挿通させて、レバー２５の係止部２９をロック状態に保持させているので、係止部２９が溝部３１から解除することを防ぐことができる。これにより、例えば、ハンドルに偶然接触したり、故意にハンドル操作してレバー２５を操作しようとした場合にも係止部２９によるロック状態を保持できる。
【００３９】
図６、図７においては、係止部２９の係止を解除してロック状態を解除した状態を示している。この場合、ロック部材４０は、結束環体４１の施錠状態を解除してこの結束環体４１を空間領域３７から抜くことにより容易に取外し可能になっている。この状態で、図に示すようにレバー２５を操作すると、このレバー２５が軸着部２８を中心に回転し、係止部２９によるハンドル２４のロック状態が解除される。そして、レバー２５の操作状態を維持しながらハンドル２４を回転することで、ステム２３を回動させて弁体を開閉制御することが可能になっている。
【００４０】
このとき、図７に示すように、レバー２５を軸着部２８を介して回動操作する際に、レバー２５側に設けた突設部３５を手動操作用ハンドル２４の下向き断面コ字形状の収容部３８に収容可能に設けているので、レバー２５を操作したときにハンドル２４の凹状部位に突設部３５を確実に収容でき、回転弁２１を操作する際の障害となることがなく、レバー操作時には、このレバー２５を所定角度で回転させて係止部２９の溝部３１への係止を外すことが可能になっている。
【００４１】
図８においては、上記のロック機構付きの弁駆動用手動操作装置に、他のロック部材５０の結束環体５１を挿通した状態を示したものである。同図において、ロック部材５０は、軸装部５２により軸着され、この軸装部５２を中心に開閉可能な結束環体５１と、南京錠等の図示しない鍵が挿通可能な複数の穴部５３とを有する固定具の形態からなっている。このロック部材の結束環体５１は、断面略矩形状であり、レバー２５との当接箇所が平坦状になっているが、この場合にも、図８（ａ）、図８（ｂ）に示すように、レバー２５を操作して結束環体５１がハンドル２４に当接したときには、結束環体５１によりレバー２５の回転が規制され、延いては、ハンドル２４のロック状態、すなわち、レバー２５と図２におけるプレート３０との係止を維持してロック状態を保持できる。このように、結束環体は、その断面形状が円形以外の形状であってもよく、このため、曲率や線径の異なる結束環体を有するロック部材を用いることも可能である。この場合においても、前記と同様に誤動作やいたずら等による操作を防止できる。
【００４２】
図９、図１０においては、本発明におけるロック機構付きの弁駆動用手動操作装置のロック機構の他の実施形態を示したものである。なお、この実施形態において、前述した実施形態を同一部分は同一符号によって表し、その説明を省略する。
【００４３】
この実施形態における装置本体６０においては、レバー６１の操作部位が断面略コ字形状に形成され、一方、手動操作用ハンドル６２がこのレバー６１に収容可能な形状に形成されている。更に、ハンドル６２の軸着部６３から後端側に、所定の距離を介して突設部６４が一体に形成され、この突設部６４とハンドル６３とレバー６１との間に空間領域６５が形成され、この空間領域６５にロック部材４０の結束環体４１が挿通されてハンドル６２がロック状態に保持されている。
【００４４】
この実施形態のように、弁駆動用手動操作装置は、ハンドルとレバーとの凹凸関係が逆になっていてもよく、また、突設部がハンドルに設けられていてもよい。この場合にも、前述した実施形態と同様の効果を発揮できる。この場合も、上記の例と同様に、座部を設けるのが好ましい。この座部は、レバー側又はハンドルの下面側に設けることによって、安定した状態でロックできるようにするのが良い。
【００４５】
また、上述した何れの弁駆動用手動操作装置においても、ハンドルやレバーの形状等にこだわることはなく、本発明の弁駆動用手動操作装置は、回転弁２１を開閉制御するハンドルに、その先端側に位置決め用の係止部を有するレバーを軸着部を介して軸着して回転弁を操作可能とした構造であれば、各種の形態に適用することができる。
【符号の説明】
【００４６】
２０  弁駆動用手動操作装置本体
２１  回転弁
２４  ハンドル
２５  レバー
２８  軸着部
２９  係止部
３５  突設部
３６  スプリング
３７  空間領域
３８  収容部
３９  開放領域
４０  ロック部材
４１  結束環体
４２  座部
【図１】
2011021641.tif 000003
【図２】
2011021641.tif 000004
【図３】
2011021641.tif 000005
【図４】
2011021641.tif 000006
【図５】
2011021641.tif 000007
【図６】
2011021641.tif 000008
【図７】
2011021641.tif 000009
【図８】
2011021641.tif 000010
【図９】
2011021641.tif 000011
【図１０】
2011021641.tif 000012
【図１１】
2011021641.tif 000013